(57)【要約】【課題】  短時間で簡単に且つ確実に配設することができ、より望ましくは壁板や柱材との間に隙間が生じないように配設することができる遮蔽材及びこれを具備した建物壁を提供すること。【解決手段】  遮蔽材１は、積層方向Ｘで互いに積層された木質性繊維を有した板状の遮蔽層２、３及び４を具備しており、遮蔽層４は、遮蔽層２及び３の縁部９及び１１よりも方向Ｙに突出している突出縁１４を有している。【選択図】図１
2005344366.tif 000002
【特許請求の範囲】
【請求項１】
積層方向で互いに積層された複数の遮蔽層を具備しており、複数の遮蔽層のうちの少なくとも一つの遮蔽層は、他の遮蔽層の縁部よりも積層方向に交差する方向に突出している突出縁を有している遮蔽材。
【請求項２】
遮蔽層は、木質性繊維を有している請求項１に記載の遮蔽材。
【請求項３】
複数の遮蔽層は、夫々板状である請求項１又は２に記載の遮蔽材。
【請求項４】
突出縁は、可撓性を有している請求項１から３のいずれか一項に記載の遮蔽材。
【請求項５】
突出縁は、他の遮蔽層の縁部に接触することができる程度に撓められるようになっている請求項１から４のいずれか一項に記載の遮蔽材。
【請求項６】
他の遮蔽層を複数具備しており、他の遮蔽層の各縁部における端面は、積層方向に関して互いに面一となっている請求項１から５のいずれか一項に記載の遮蔽材。
【請求項７】
突出縁は、遮蔽層の一方の縁部に配された一方の突出縁部と、当該遮蔽層の他方の縁部に配された他方の突出縁部とを具備している請求項１から６のいずれか一項に記載の遮蔽材。
【請求項８】
突出縁を有している少なくとも一つの遮蔽層は、複数の遮蔽層の全体の積層方向における端部に配されている請求項１から７のいずれか一項に記載の遮蔽材。
【請求項９】
突出縁を有している少なくとも一つの遮蔽層は、二つの他の遮蔽層間に介在されている請求項１から８のいずれか一項に記載の遮蔽材。
【請求項１０】
突出縁を有している遮蔽層は、四辺形状であり、突出縁は、当該遮蔽層の少なくとも一つの縁部に部分的に設けられている請求項１から９のいずれか一項に記載の遮蔽材。
【請求項１１】
請求項１から１０のいずれか一項に記載の遮蔽材と、この遮蔽材の突出縁が固着された柱材とを具備している建物壁。
【請求項１２】
遮蔽材の突出縁は、コ字状固着具により柱材に固着されている請求項１１に記載の建物壁。
【請求項１３】
柱材は、遮蔽材の突出縁が嵌め込まれる凹部を有している請求項１１又は１２に記載の建物壁。
【発明の詳細な説明】
【技術分野】
【０００１】
本発明は、木造建物等の建物に用いられる遮蔽材及びこれを具備した建物壁に関する。
【背景技術】
【０００２】
【特許文献１】特表平１０−５０１３１４号公報
【０００３】
この種の遮蔽材としては、例えば、夫々互いに接着されている複数の遮蔽層を具備している断熱性、通気性等を有した遮蔽材が特許文献１において提案されている。斯かる遮蔽材の建物壁への配設は、例えば、壁板に固定された一対の柱材（仕切材等を含む）間の寸法を基準にして矩形状等に加工（切断等）して当該一対の柱材間に介在させ、建築用ホッチキス（タッカー）等からなる固着具を用いて壁板や柱材に打ち付けることによって行うことが考えられる。
【発明の開示】
【発明が解決しようとする課題】
【０００４】
ところで、斯かる遮蔽材を単に一対の柱材間の寸法を基準にして加工して一対の柱材間に介在させた場合には、当該遮蔽材が一対の柱材間に収まるように固着具を用いて柱材に打ち付けることが困難である一方、遮蔽材が厚い場合には、遮蔽材を固着具を用いて壁板に確実に打ち付けることが困難であると共に当該遮蔽材が固着具に圧縮されるために、遮蔽材による断熱、通気、除湿、吸湿等を好適に行い得るように遮蔽材を固着具により壁板や柱材に簡単に且つ確実に固着することが困難である。
【０００５】
また、斯かる遮蔽材を壁板や柱材等に接着剤等により接着することも考えられるが、接着剤等を用いる場合には、当該接着剤の硬化時間が必要となり、また、遮蔽材を交換する場合における壁板及び柱材等からの接着剤の剥離に手間を要し、而して、遮蔽材を短時間で簡単に配設することが困難である。
【０００６】
更にまた、斯かる遮蔽材の配設は、当該遮蔽材と壁板若しくは柱材との間に隙間が生じないようになされることが望ましい。斯かる隙間が生じた場合には、当該隙間を介して対流（本例では主に流体の流れにより熱が運ばれる現象を意味する）が生じ得るために、遮蔽材による断熱等の効果が著しく減殺される虞があるからである。
【０００７】
本発明は、前記諸点に鑑みてなされたものであり、その目的とするところは、短時間で簡単に且つ確実に配設することができ、より望ましくは壁板や柱材との間に隙間が生じないように配設することができる遮蔽材及びこれを具備した建物壁を提供することにある。
【課題を解決するための手段】
【０００８】
本発明の第一の態様の遮蔽材は、積層方向で互いに積層された複数の遮蔽層を具備しており、複数の遮蔽層のうちの少なくとも一つの遮蔽層は、他の遮蔽層の縁部よりも積層方向に交差する方向に突出している突出縁を有している。
【０００９】
第一の態様の遮蔽材によれば、固着具により突出縁を壁板や柱材等に固着することで、短時間で簡単に且つ確実に配設することができ、更には、壁板や柱材との間に隙間が生じないように配設し得る。
【００１０】
本発明においては、その第二の態様の遮蔽材のように、遮蔽層は、木質性繊維を有していてもよい。
【００１１】
第二の態様の遮蔽材によれば、上述の構成を具備しているために、通気性及び断熱性等を発揮し得、軽量に構成することができ、また、天然物から構成し得て有害物質等の流出等の虞をなくし得る。尚、第二の態様の遮蔽材における複数の遮蔽層は、木質性繊維のみによって構成されていてもよいが、木質性繊維に加えて、グラスウール、合成繊維等も含んで構成されていてもよい。
【００１２】
本発明においては、その第三の態様の遮蔽材のように、複数の遮蔽層は、夫々板状であってもよい。
【００１３】
本発明においては、その第四の態様の遮蔽材のように、突出縁は、可撓性を有していてもよい。
【００１４】
第四の態様の遮蔽材によれば、上述の構成を具備しているために、突出縁を様々な形状に撓めることができて壁板や柱材等の様々な部位に固着することができ、而して、短時間で簡単に且つ確実に配設することができ、更には、壁板や柱材との間に隙間が生じないように配設し得る。
【００１５】
本発明においては、その第五の態様の遮蔽材のように、突出縁は、他の遮蔽層の縁部に接触することができる程度に撓められるようになっていてもよい。
【００１６】
第五の態様の遮蔽材によれば、上述の構成を具備しているために、例えば、固着具により突出縁を柱材等に固着した場合には、当該固着に用いられた固着具を突出縁と他の遮蔽層の縁部とによって覆うことができて、固着具が外気に曝されて劣化することをなくし得、審美性の向上をも図り得る。また、第五の態様の遮蔽材によれば、当該遮蔽材の全体を一対の柱材間に嵌め込むように配設することができ、而して、遮蔽材と柱材との間に隙間を生じないように短時間で簡単に且つ確実に配設することができる。
【００１７】
本発明においては、その第六の態様の遮蔽材のように、他の遮蔽層を複数具備していてもよく、他の遮蔽層の各縁部における端面は、積層方向に関して互いに面一となっていてもよい。
【００１８】
本発明においては、その第七の態様の遮蔽材のように、突出縁は、遮蔽層の一方の縁部に配された一方の突出縁部と、当該遮蔽層の他方の縁部に配された他方の突出縁部とを具備していてもよい。
【００１９】
本発明においては、その第八の態様の遮蔽材のように、突出縁を有している少なくとも一つの遮蔽層は、複数の遮蔽層の全体の積層方向における端部に配されていてもよい。
【００２０】
本発明においては、その第九の態様の遮蔽材のように、突出縁を有している少なくとも一つの遮蔽層は、二つの他の遮蔽層間に介在されていてもよい。
【００２１】
本発明においては、その第十の態様の遮蔽材のように、突出縁を有している遮蔽層は、四辺形状であってもよく、突出縁は、当該遮蔽層の少なくとも一つの縁部に部分的に設けられていてもよい。
【００２２】
本発明の第一の態様の建物壁は、第一から第十のいずれかの態様の遮蔽材と、この遮蔽材の突出縁が固着された柱材とを具備している。第一の態様の建物壁によれば、第一から第十のいずれかの態様の遮蔽材を具備しているために、上述の各態様の遮蔽材の奏する効果と同様の効果を奏し得る。尚、前記柱材には壁板等が固着されていてもよい。
【００２３】
本発明においては、その第二の態様の建物壁のように、遮蔽材の突出縁は、コ字状固着具により柱材に固着されていてもよい。第二の態様の建物壁によれば、コ字状固着具等により遮蔽材と柱材との間に隙間が生じないように当該遮蔽材を柱材に短時間で簡単に且つ確実に固着し得る。
【００２４】
本発明においては、その第三の態様の建物壁のように、柱材は、遮蔽材の突出縁が嵌め込まれる凹部を有していてもよい。第三の態様の建物壁によれば、固着具等を用いなくとも遮蔽材と柱材との間に隙間が生じないように遮蔽材を短時間で簡単に配設することができ、また、固着具等を併用することで遮蔽材と柱材との間に隙間が生じないようにより確実に遮蔽材を配設することができる。
【００２５】
尚、本発明における遮蔽材は、接着剤等を用いなくとも固着具により壁板や柱材に固着することができるが、固着具による固着や突出縁の柱材への嵌め込みに加えて、接着剤等による接着を行ってもよい。
【発明の効果】
【００２６】
本発明によれば、短時間で簡単に且つ確実に配設することができ、より望ましくは壁板や柱材との間に隙間が生じないように配設することができる遮蔽材及びこれを具備した建物壁を提供し得る。
【発明を実施するための最良の形態】
【００２７】
次に、本発明の実施の形態の例を、図に示す好ましい例に基づいて更に詳細に説明する。尚、本発明はこれら例に何等限定されないのである。
【実施例】
【００２８】
図１から図２において、本例の遮蔽材１は、積層方向Ｘで互いに積層された複数の遮蔽層、本例では木質性繊維を有した板状の遮蔽層２、３及び４を具備している。
【００２９】
断熱性、通気性等を有した遮蔽層２、３及び４の夫々は、四辺形状、本例では矩形状である。遮蔽層２の一方の面５と積層方向Ｘで面５に対面している遮蔽層３の一方の面６とは、澱粉糊等からなる接着剤により部分的に又は全体に亘って互いに接着されている。遮蔽層３の他方の面７と積層方向Ｘで面７に対面している遮蔽層４の一方の面８とは、澱粉糊等からなる接着剤により部分的に又は全体に亘って互いに接着されている。遮蔽層２の縁部９における端面１０と遮蔽層３の縁部１１における端面１２は、積層方向Ｘに関して互いに面一となっている。
【００３０】
遮蔽層２、３及び４を形成している木質性繊維は、例えば松の木や亜麻等を繊維化したものからなっていてもよく、木質性繊維の繊維長は、例えば１．０ｍｍから５．０ｍｍ程度であってもよく、また、２．５ｍｍから４．０ｍｍ程度であってもよく、また、木質性繊維自体が多孔のものであってもよい。尚、斯かる木質性繊維がセルロースを含んでいる場合には、遮蔽層２及び３並びに遮蔽層３及び４の接着は、前記接着剤に代えて又は加えて、木質性繊維に含まれているリグニンの作用によっても行われてもよい。また、遮蔽層２、３及び４には、難燃剤、腐食防止剤等が添加されていてもよい。
【００３１】
遮蔽層２及び３は、夫々互いに同様に形成されているので、以下、遮蔽層２について詳細に説明し、遮蔽層３については必要に応じて図に符号を付してその詳細な説明を省略する。
【００３２】
遮蔽層２は、積層方向Ｘにおける厚さが１０ｍｍとなるように、積層方向Ｘに直交する方向Ｙにおける幅が４２０ｍｍとなるように、且つ、積層方向Ｘ及び方向Ｙに直交する方向Ｚにおける長さが１１７０ｍｍとなるように形成されている。遮蔽層２は、本例では夫々異なる方向に不規則に伸びる木質性繊維によって形成されているが、例えば積層方向Ｘに伸びる木質性繊維よりも方向Ｙ及び方向Ｚに伸びる木質性繊維の方が多くなるように構成されていてもよい。
【００３３】
遮蔽層４は、面８で面７に接着されている本体部１３と、本体部１３に一体的に設けられていると共に方向Ｙに関して本体部１３から突出している可撓性の突出縁１４とを具備している。遮蔽層４は、遮蔽層２、３及び４の全体の積層方向Ｘにおける一方の端部、即ち、遮蔽材１の積層方向Ｘにおける一方の端部１５に配されている。遮蔽層４は、積層方向Ｘにおける厚さが１０ｍｍとなるように、方向Ｙにおける幅が４５０ｍｍとなるように、且つ、方向Ｚにおける長さが１１７０ｍｍとなるように形成されている。遮蔽層４は、本例では夫々異なる方向に不規則に伸びる木質性繊維によって形成されているが、例えば積層方向Ｘに伸びる木質性繊維よりも方向Ｙ及び方向Ｚに伸びる木質性繊維の方が多くなるように構成されていてもよい。
【００３４】
本体部１３は、本例では遮蔽層２及び３と同形状となるように形成されているのでその詳細な説明を省略する。
【００３５】
突出縁１４は、遮蔽層４の方向Ｙにおける一方の縁部１６に配された突出縁部１７と、遮蔽層４の方向Ｙにおける他方の縁部１８に配された突出縁部１９とを具備している。
【００３６】
突出縁部１７は、遮蔽層２及び３の方向Ｙにおける一方の縁部９ａ及び１１ａよりも方向Ｙに１５ｍｍ程度突出しており、縁部９ａにおける端面１０ａ及び縁部１１ａにおける端面１２ａに接触することができる程度にＡ１方向に撓められるように、且つ、Ａ１方向とは逆のＢ１方向にもＡ１方向と同程度に撓められるように構成されている。突出縁部１７は、コ字状固着具３１により柱材３２に固着された状態を維持することができる程度の強度を有している。突出縁部１７の方向Ｙにおける端面２０は、突出縁部１７の一方の面２１が端面１０ａ及び１２ａに接触した際に、遮蔽層２の他方の面２２と面一となるように配される。
【００３７】
突出縁部１９は、遮蔽層２及び３の方向Ｙにおける他方の縁部９ｂ及び１１ｂよりも方向Ｙに１５ｍｍ程度突出しており、縁部９ｂにおける端面１０ｂ及び縁部１１ｂにおける端面１２ｂに接触することができる程度にＡ２方向に撓められるように、且つ、Ａ２方向とは逆のＢ２方向にもＡ２方向と同程度に撓められるように構成されている。突出縁部１９は、コ字状固着具３１により柱材３３に固着された状態を維持することができる程度の強度を有している。突出縁部１９の方向Ｙにおける端面２３は、突出縁部１９の一方の面２４が端面１０ｂ及び１２ｂに接触した際に、遮蔽層２の面２２と面一となるように配される。
【００３８】
上述の遮蔽材１が配設された図３から図７に示すような建物壁３０は、上述の遮蔽材１と、遮蔽材１の突出縁１４が金属製の建築用ホッチキス（タッカー）等の針（ステープル）からなるコ字状固着具３１により固着された一対の柱材３２及び３３と、柱材３２及び３３に橋絡されるように固着された壁板３４とを具備している。柱材３２及び３３は、方向Ｙで互いに対向している。
【００３９】
遮蔽材１は、図３及び図４に示すように柱材３２及び３３に固着されてもよく、また、図５及び図６に示すように柱材３２及び３３に固着されていてもよく、また、図８に示すように柱材３２及び３３に固着されていてもよい。
【００４０】
以下、図３及び図４に示すように遮蔽材１が配設された建物壁３０について説明する。遮蔽材１は、柱材３２及び３３間に嵌め込まれている。突出縁部１７及び１９は、柱材３２及び３３によりＢ１方向及びＢ２方向に夫々撓められている。突出縁部１７及び１９は、当該突出縁部１７及び１９の夫々の他方の面３５及び３６側からコ字状固着具３１により柱材３２及び３３に夫々打ち付けられている。面２１及び２４は、柱材３２及び３３の方向Ｙで互いに対面する面３７及び３８に夫々面接触している。端面１０ａ及び１２ａは面３７に、端面１０ｂ及び１２ｂは面３８に夫々面接触している。
【００４１】
以下、図５及び図６に示すように遮蔽材１が配設された建物壁３０について説明する。遮蔽材１は、柱材３２及び３３間に嵌め込まれている。突出縁部１７及び１９は、柱材３２及び３３によりＡ１方向及びＡ２方向に夫々撓められており、面２１及び２４は、端面１０ａ及び１２ａ並びに端面１０ｂ及び１２ｂに夫々接触している。突出縁部１７及び１９は、面２１及び２４側からコ字状固着具３１により柱材３２及び３３に打ち付けられている。面３５及び３６は、面３７及び３８に夫々面接触している。
【００４２】
図５及び図６に示すように配設された遮蔽材１を柱材３２及び３３に固着する場合には、図７に示すように、遮蔽層２及び３の縁部９ａ及び１１ａを遮蔽層４に向かって押圧することにより縁部９ａ及び１１ａを収縮させて突出縁部１７の面２１を露呈させ、露呈した面２１から柱材３２に向かってコ字状固着具３１を打ち付けることによって行う。このように打ち付けられたコ字状固着具３１は、縁部９ａ及び１１ａの押圧が解除されることによって当該縁部９ａ及び１１ａを元の形状に復元させることにより外部に露呈しないように遮蔽材１に埋設される。尚、突出縁部１９の柱材３３への固着もまた突出縁部１７の柱材３２への固着と同様に行われるため、突出縁部１９の柱材３３への固着についての説明を省略する。
【００４３】
尚、遮蔽材１は、図８に示すように、遮蔽層２及び３が柱材３２及び３３間に配されるように、突出縁部１７及び１９を柱材３２及び３３の面３７及び３８に連接する面３９及び４０にコ字状固着具３１により固着してもよい。
【００４４】
図３から図８のいずれかに示すように配設された遮蔽材１の遮蔽層４の本体部１３は、遮蔽層２及び３よりも建物内側に配されていてもよく、また、遮蔽層２及び３よりも建物外側に配されていてもよい。
【００４５】
以上の遮蔽材１によれば、積層方向Ｘで互いに積層された複数の遮蔽層２、３及び４を具備しており、複数の遮蔽層２、３及び４のうちの少なくとも一つの遮蔽層４は、他の遮蔽層２及び３の縁部９及び１１よりも方向Ｙに突出している突出縁１４を有しているために、コ字状固着具３１により突出縁１４を壁板３４や柱材３２及び３３に固着することで、短時間で簡単に且つ確実に配設することができ、更には、壁板３４や柱材３２及び３３との間に隙間が生じないように配設し得る。
【００４６】
遮蔽材１によれば、遮蔽層２、３及び４は、木質性繊維を有しているために、通気性及び断熱性等を発揮し得、軽量に構成することができ、また、天然物から構成し得て有害物質等の流出等の虞をなくし得る。
【００４７】
遮蔽材１によれば、突出縁１４は、可撓性を有しているために、突出縁１４を様々な形状に撓めることができて壁板３４や柱材３２及び３３の様々な部位に固着することができ、而して、短時間で簡単に且つ確実に配設することができ、更には、壁板３４や柱材３２及び３３との間に隙間が生じないように配設し得る。
【００４８】
遮蔽材１によれば、突出縁１４は、遮蔽層２及び３の縁部９及び１１に接触することができる程度にＡ１方向及びＡ２方向に撓められるようになっているために、例えば、コ字状固着具３１により突出縁１４を柱材３２及び３３に固着した場合には、当該固着に用いられたコ字状固着具３１を突出縁１４と遮蔽層２及び３の縁部９及び１１とによって覆うことができて、コ字状固着具３１が外気に曝されて劣化することをなくし得、審美性の向上をも図り得る。また、遮蔽材１によれば、当該遮蔽材１の全体を柱材３２及び３３間に嵌め込むように配設することができ、而して、遮蔽材１と柱材３２及び３３との間に隙間を生じないように短時間で簡単に且つ確実に配設することができる。
【００４９】
尚、本例の遮蔽材１は、三つの遮蔽層２、３及び４を具備しているが、これらに加えて、遮蔽層２、３及び４と共に積層方向Ｘに積層された複数の遮蔽層を具備していてもよい。また、本例の遮蔽材１は、遮蔽層４のみが突出縁１４を有しているが、例えば遮蔽層２若しくは遮蔽層３も突出縁１４を有していてもよい。
【００５０】
本例の遮蔽材１は、遮蔽層３に代えて、例えば図９に示すように、遮蔽層２及び４間に介在されていると共に突出縁１４を有している遮蔽層４１を具備していてもよく、斯かる場合には、遮蔽層４に代えて、遮蔽層２と同様に形成された遮蔽層４２を具備していてもよい。
【００５１】
本例の遮蔽材１の遮蔽層４は、突出縁１４に代えて、例えば図１０に示すように、縁部１６に部分的に設けられた突出縁部４３及び縁部１８に部分的に設けられた突出縁部４４を具備した突出縁４５を有していてもよい。
【００５２】
遮蔽層２、３及び４は、本例ではこれらの積層方向Ｘにおける厚さが１０ｍｍとなるように形成されているが、遮蔽材１が一対の柱材３２及び３３間に収まるように形成されていればよいので、例えば２ｍｍから１５ｍｍとなるように形成されていてもよい。遮蔽層２及び３の方向Ｙにおける幅及び方向Ｚにおける長さもまた、遮蔽層２及び３が一対の柱材３２及び３３間に収まるように設定されていればよい。
【００５３】
また、本例の建物壁３０は、一対の柱材３２及び３３に代えて、例えば図９に示すように、遮蔽材１の突出縁１４が嵌め込まれるＺ方向に伸びたスリット等からなる凹部（図示せず）を有した一対の柱材を具備していてもよい。
【図面の簡単な説明】
【００５４】
【図１】本発明の実施の形態の例の斜視説明図である。
【図２】図１に示す例の説明図である。
【図３】図１に示す例の配設時における斜視一部説明図である。
【図４】図３に示す例の断面説明図である。
【図５】図１に示す例の配設時における斜視一部説明図である。
【図６】図５に示す例の断面説明図である。
【図７】図５に示す例の断面説明図である。
【図８】図１に示す例の配設時における断面説明図である。
【図９】本発明の実施の形態の他の例の説明図である。
【図１０】本発明の実施の形態の他の例の斜視説明図である。
【符号の説明】
【００５５】
１  遮蔽材
２、３、４、４１、４２  遮蔽層
１４、４５  突出縁
【図１】
2005344366.tif 000003
【図２】
2005344366.tif 000004
【図３】
2005344366.tif 000005
【図４】
2005344366.tif 000006
【図５】
2005344366.tif 000007
【図６】
2005344366.tif 000008
【図７】
2005344366.tif 000009
【図８】
2005344366.tif 000010
【図９】
2005344366.tif 000011
【図１０】
2005344366.tif 000012